(57)【要約】【課題】複数人が一緒になって一つのグループとして会員登録できる会員登録システム等を提供することを目的とする。【解決手段】サーバー１は、会員登録所望者の使用するＰＣ２に会員登録用フォームを送信し、前記所望者は所定事項を入力してサーバー１に送信する。サーバー１はそれを受信・記憶し、知人紹介用フォームを前記所望者のＰＣ２に送信する。前記所望者は紹介する知人の情報とメッセージを入力し、サーバー１に送信する。サーバー１はそれを受信・記憶し、その知人のＰＣ２に勧誘メッセージを送信し、それを受信した知人が所定事項を入力してサーバー１に送信する。この際、紹介者と被紹介者とは関連付けられて一つのグループとして会員登録される。サーバー１は所定の締切日に達したら、新規会員登録時ポイントデータに基づいて、そのグループを構成する会員に特典を付与する。 【選択図】  図２
2006004335.tif 000002
【特許請求の範囲】
【請求項１】
所定のサービスを利用する者が会員として登録する会員登録システムにおいて、
複数の会員から構成されるグループを記憶する手段と、
登録した会員に付与する特典に関する特典付与情報を記憶する手段と、
複数の会員がグループとして登録した場合に前記グループを構成する会員に前記特典付与情報に基づいて特典を付与する特典付与手段とを備えることを特徴とする複数会員登録システム。
【請求項２】
前記会員が紹介した個人に関する被紹介者特定情報を記憶する手段と、
前記会員が作成した同一グループとして入会を促す勧誘メッセージを記憶する手段と、
前記被紹介者が使用する会員登録申込手段に前記勧誘メッセージ送信する手段とを備えることを特徴とする請求項１記載の複数会員登録システム。
【請求項３】
前記勧誘メッセージには、現在の被紹介者の人数及び／又は現在の登録人数並びに特典付与情報とが含まれることを特徴とする請求項１乃至２記載の複数会員登録システム。
【請求項４】
知人を紹介した紹介者及び／又は前記紹介者の属するグループの代表者に前記知人が未登録である旨を通知する手段とを備えることを特徴とする請求項１乃至３記載の複数会員登録システム。
【請求項５】
所定期間で会員登録を締め切る手段とを備えることを特徴とする請求項１乃至４記載の複数会員登録システム。
【請求項６】
会員の所定のサービス利用度を表す所定会員利用度を記憶する手段と、
前記グループを構成する会員のうち前記所定会員利用度に達した人数に応じて前記グループに特別特典を付与する手段とを備えることを特徴とする請求項１乃至５記載の複数会員登録システム。
【請求項７】
前記グループを構成する会員のうちサービス利用度の少ない会員を前記グループのメンバーから外す手段とを備えることを特徴とする請求項１乃至６記載の複数会員登録システム。
【請求項８】
前記グループを構成する各会員のサービス利用状況を各会員に通知する手段とを備えることを特徴とする請求項１乃至７記載の複数会員登録システム。
【請求項９】
グループ全体の所定のサービス利用度を表す所定グループ利用度を記憶する手段と、
会員の属するグレードに種別を設け、前記所定グループ利用度に応じて前記グループを構成する会員の前記グレードをアップ又はダウンさせる手段とを備えることを特徴とする請求項１乃至８記載の複数会員登録システム。
【請求項１０】
グループを構成する会員一人当たりの所定の平均サービス利用度を表す所定平均利用度を記憶する手段と、
会員の属するグレードに種別を設け、前記所定平均利用度に応じて前記グループを構成する会員の前記グレードをアップ又はダウンさせる手段とを備えることを特徴とする請求項１乃至８記載の複数会員登録システム。
【請求項１１】
所定のサービスを利用する者が会員として登録するための処理を行わせる会員登録プログラムにおいて、
コンピュータを、
複数の会員から構成されるグループを記憶する手段と、
登録した会員に付与する特典に関する特典付与情報を記憶する手段と、
複数の会員がグループとして登録した場合に前記グループを構成する会員に前記特典付与情報に基づいて特典を付与する特典付与手段として機能させることを特徴とする複数会員登録プログラム。
【請求項１２】
前記会員が紹介した個人に関する被紹介者特定情報を記憶する手段と、
前記会員が作成した同一グループとして入会を促す勧誘メッセージを記憶する手段と、
前記被紹介者が使用する会員登録申込手段に前記勧誘メッセージ送信する手段として機能させることを特徴とする請求項１１記載の複数会員登録プログラム。
【請求項１３】
前記勧誘メッセージには、現在の被紹介者の人数及び／又は現在の登録人数並びに特典付与情報とが含まれることを特徴とする請求項１１乃至１２記載の複数会員登録プログラム。
【請求項１４】
知人を紹介した紹介者及び／又は前記紹介者の属するグループの代表者に前記知人が未登録である旨を通知する手段として機能させることを特徴とする請求項１１乃至１３記載の複数会員登録プログラム。
【請求項１５】
会員の所定のサービス利用度を表す所定会員利用度を記憶する手段と
前記グループを構成する会員のうち前記所定会員利用度に達した人数に応じて前記グループに特別特典を付与する手段として機能させることを特徴とする請求項１１乃至１４記載の複数会員登録プログラム。
【請求項１６】
前記グループを構成する会員のうちサービス利用度の少ない会員を前記グループのメンバーから外す手段として機能させることを特徴とする請求項１１乃至１５記載の複数会員登録プログラム。
【請求項１７】
所定期間で会員登録を締め切る手段として機能させることを特徴とする請求項１１乃至１６記載の複数会員登録プログラム。
【請求項１８】
前記グループを構成する各会員のサービス利用状況を各会員に通知する手段として機能させることを特徴とする請求項１１乃至１７記載の複数会員登録プログラム。
【請求項１９】
グループ全体としての所定のサービス利用度を表す所定グループ利用度を記憶する手段と、
会員の属するグレードに種別を設け、前記所定グループ利用度に応じて前記グループを構成する会員の前記グレードをアップ又はダウンさせる手段として機能させることを特徴とする請求項１１乃至１８記載の複数会員登録プログラム。
【請求項２０】
グループを構成する会員一人当たりの所定の平均サービス利用度を表す所定平均利用度を記憶する手段と、
会員の属するグレードに種別を設け、前記所定平均利用度に応じて前記グループを構成する会員の前記グレードをアップ又はダウンさせる手段として機能させることを特徴とする請求項１１乃至１８記載の複数会員登録プログラム。
【請求項２１】
所定のサービスを利用する者が会員として登録するための処理を行わせる会員登録方法において、
コンピュータが、
複数の会員から構成されるグループを記憶するステップと、
登録した会員に付与する特典に関する特典付与情報を記憶するステップと、
複数の会員がグループとして登録した場合に前記グループを構成する会員に前記特典付与情報に基づいて特典を付与する特典付与ステップとから構成されることを特徴とする複数会員登録方法。
【請求項２２】
前記会員が紹介した個人に関する被紹介者特定情報を記憶するステップと、
前記会員が作成した同一グループとして入会を促す勧誘メッセージを記憶するステップと、
前記被紹介者が使用する会員登録申込ステップに前記勧誘メッセージ送信するステップとから構成されることを特徴とする請求項２１記載の複数会員登録方法。
【請求項２３】
前記勧誘メッセージには、現在の被紹介者の人数及び／又は現在の登録人数並びに特典付与情報とが含まれることを特徴とする請求項２１乃至２２記載の複数会員登録方法。
【請求項２４】
知人を紹介した紹介者及び／又は前記紹介者の属するグループの代表者に前記知人が未登録である旨を通知するステップとから構成されることを特徴とする請求項２１乃至２３記載の複数会員登録方法。
【請求項２５】
所定期間で会員登録を締め切るステップとから構成されることを特徴とする請求項２１乃至２４記載の複数会員登録方法。
【請求項２６】
会員の所定のサービス利用度を表す所定会員利用度を記憶するステップと
前記グループを構成する会員のうち前記所定会員利用度に達した人数に応じて前記グループに特別特典を付与するステップとから構成されることを特徴とする請求項２１乃至２５記載の複数会員登録方法。
【請求項２７】
前記グループを構成する会員のうちサービス利用度の少ない会員を前記グループのメンバーから外すステップとから構成されることを特徴とする請求項２１乃至２６記載の複数会員登録方法。
【請求項２８】
前記グループを構成する各会員のサービス利用状況を各会員に通知するステップとから構成されることを特徴とする請求項２１乃至２７記載の複数会員登録方法。
【請求項２９】
グループ全体としての所定のサービス利用度を表す所定グループ利用度を記憶するステップと、
会員の属するグレードに種別を設け、前記所定グループ利用度に応じて前記グループを構成する会員の前記グレードをアップ又はダウンさせるステップとから構成されることを特徴とする請求項２１乃至２８記載の複数会員登録方法。
【請求項３０】
グループを構成する会員一人当たりの所定の平均サービス利用度を表す所定平均利用度を記憶するステップと、
会員の属するグレードに種別を設け、前記所定平均利用度に応じて前記グループを構成する会員の前記グレードをアップ又はダウンさせるステップとから構成されることを特徴とする請求項２１乃至２８記載の複数会員登録方法。
【発明の詳細な説明】
【技術分野】
【０００１】
本発明は、複数人が一緒になって一つのグループとして会員登録できる会員登録システム等に関するものである。
【背景技術】
【０００２】
従来から、商品の購入希望者等を対象とした会員登録システムが広く実施されており、会員登録を行なうことで、非会員よりも商品を安く購入できたり、耳寄りな情報をいち早く入手できたりといった様々な特典が与えられる。このような会員登録システムにおいては、既登録会員が新規会員を紹介した場合、その既登録会員に何らかの特典を付与するなどして、紹介意欲を喚起させるようにしているのが一般的である（例えば特許文献１参照）。
【０００３】
【特許文献１】特開２００１−２３６４０９号公報（第３−４頁、第８図）
【発明の開示】
【発明が解決しようとする課題】
【０００４】
しかし、このような従来の会員登録システムにおいては、一人の会員が他の一人を紹介する、あるいはそれを繰り返すということはできても、複数人が一緒に会員になることはできないため、会員登録システムを実施している企業側からすると、非常に効率の悪いものであった。また単に、新規会員を紹介すれば何らかの特典が付与されるといった程度では、紹介意欲を喚起させるのに十分とはいえなかった。さらに、一旦会員登録した後には、会員に対してそのサービスの利用を強く促すようなものではなく、押しの弱い会員登録システムであった。
【０００５】
本発明はこのような問題に鑑みてなされたものであり、複数人が一緒になって一つのグループとして会員登録することができ、しかもサービスの利用を強く促す押しの強い会員登録システム等を提供するものである。
【課題を解決するための手段】
【０００６】
本発明は、例えば、次のようなシステム、次のような処理を行わせる方法、コンピュータプログラムである。
（１）所定のサービスを利用する者が会員として登録する会員登録システムにおいて、複数の会員から構成されるグループを記憶する手段と、登録した会員に付与する特典に関する特典付与情報を記憶する手段と、複数の会員がグループとして登録した場合に前記グループを構成する会員に前記特典付与情報に基づいて特典を付与する特典付与手段とを備えている。
（２）前記会員が紹介した個人に関する被紹介者特定情報を記憶する手段と、前記会員が作成した同一グループとして入会を促す勧誘メッセージを記憶する手段と、前記被紹介者が使用する会員登録申込手段に前記勧誘メッセージ送信する手段とを備えている。
（３）前記勧誘メッセージには、現在の被紹介者の人数及び／又は現在の登録人数並びに特典付与情報とが含まれている。
（４）知人を紹介した紹介者及び／又は前記紹介者の属するグループの代表者に前記知人が未登録である旨を通知する手段とを備えている。
（５）所定期間で会員登録を締め切る手段とを備えている。
（６）会員の所定のサービス利用度を表す会員利用度を記憶する手段と、前記グループを構成する会員のうち前記会員利用度に達した人数に応じて前記グループに特別特典を付与する手段とを備えている。
（７）前記グループを構成する会員のうちサービス利用度の少ない会員を前記グループのメンバーから外す手段とを備えている。
（８）前記グループを構成する各会員のサービス利用状況を各会員に通知する手段とを備えている。
（９）グループ全体の所定のサービス利用度を表す所定グループ利用度を記憶する手段と、会員の属するグレードに種別を設け、前記所定グループ利用度に応じて前記グループを構成する会員の前記グレードをアップ又はダウンさせる手段とを備えている。
（１０）グループを構成する会員一人当たりの所定の平均サービス利用度を表す所定平均利用度を記憶する手段と、会員の属するグレードに種別を設け、前記所定平均利用度に応じて前記グループを構成する会員の前記グレードをアップ又はダウンさせる手段とを備えている。
【発明の効果】
【０００７】
本発明には次のような効果がある。
（１）複数人が同時期にまとまって会員登録するので、企業側にとっては効率良く新規会員を獲得することができ、また登録者側にとっても、仲間同士で一緒に会員になることができるのである種の安心感がある。
（２）新規会員登録の対象者は、素性の知れた仲間同士であるので、企業側にとっては信頼の置ける良質な会員を獲得することができる。
（３）既登録会員から勧誘メッセージを受け取った人が、未だ会員登録をしていない場合には、会員登録を促すようなメッセージが送信されるので、押しの強い会員登録システムとなる。
（４）グループで新規会員登録する際、その集めた人数に応じて特典を付与するようにし、多くの人数を集めて会員登録すれば、それだけ大きな特典を与えるようにするので、一度に多くの新規会員の獲得が見込まれる。
（５）また同じ人数を集めて会員登録した場合であっても、短期間でその人数を集めた方が、長い時間かかって集めた場合よりも、より大きな特典を付与するようにすれば、迅速かつ効率的に新規会員を獲得できる。
（６）既登録会員からの勧誘メッセージに、グループで新規会員登録した場合に付与されるボーナスポイントに関する情報と、現在のグループの人数及びそのグループのメンバーのうち既に登録を済ませた人数とが通知されるので、勧誘メッセージを受け取った人は、自分が会員登録することによって、付与されるボーナスポイントもより大きくなることが分かり、被紹介者の登録意欲を喚起させる。
（７）グループでの会員登録後、グループに属する各会員のサービス利用状況により、さらにグループに特典を与えたり、逆に特典を減少させたりするので、会員登録だけをしておき、そのサービスをほとんど利用しない、いわゆる幽霊会員の増加を防止することができる。
（８）各会員に、そのグループに属する他の会員のサービス利用状況について通知するので、お互いに監視機能が働き、サービスの利用が促進される。
【発明を実施するための最良の形態】
【０００８】
本発明は、複数人が一緒になって一つのグループとして会員登録することができるシステム等に関するものである。
【実施例１】
【０００９】
本発明の実施形態を、以下図面に基づいて説明する。図１は本発明の実施に必要なハードウェアとそのハードウェアの結びつきを表した概略図である。これらハードウェアは、サーバー１（会員登録システムを実施する会社が利用するサーバー）と、会員が利用するコンピュータ２（ＰＣ２）とからなる。このサーバー１、ＰＣ２は各々インターネット３（あるいはその他の通信手段）を通じてデータの送受信が可能になるよう接続されている。サーバー１、ＰＣ２はデータを記憶するための記憶装置とデータを送受信するためのデータ送信部並びにデータ受信部とを各々内蔵し、それらを用いてデータの送受信を行う。
各々の記憶装置には本発明を実現するためのコンピュータプログラムや所定のデータが記憶されており、サーバー１、ＰＣ２はこのコンピュータプログラムの処理命令に従って所定の処理を行い、本発明を実施する。ＰＣ２にはデータを表示するための表示モニタ１１、データ入力用のキーボード１２、入力用のマウス１３が備えられている。なおここでは、ＰＣ２が会員登録申込手段としての役割を果たす。また本実施形態では、ＰＣ２を利用しているがこれに限るものではなく、例えば、携帯電話やＰＤＡ等の通信機能を備えた携帯型移動端末等にしてもよい。
【００１０】
次に、本発明を実現するための処理について説明する。本発明の処理手順は、図２に示す通り、＜会員登録処理＞→＜知人紹介処理＞→＜知人会員登録処理＞→＜特典付与処理＞の手順で行う。以下、これら処理について説明する。
【００１１】
＜ＳＴＥＰ１：会員登録処理＞
Ｘ社は、自社サービスの利用者を対象とした会員登録システムを実施している。これは、会員に登録してそのサービスを利用すると、サービス利用ごとに特典ポイントが付与され、そのポイントを蓄積させていくと、次回のサービス利用時に、蓄積したポイント数から任意のポイント数を使ってそのポイント数相当の割引を受けられるというものである（いわゆる「ポイント還元サービス」）。そして新規会員獲得の誘因とするため、新たに会員となれば、その会員登録時に、ボーナスポイントとして所定の特典ポイントを付与するようにしている。また、このＸ社の会員登録システムは、一個人で会員登録できることはもちろん、複数人であっても一つのグループとして会員登録ができるという点に特色がある。そして新規会員登録時に付与される先のボーナスポイントは、個人で会員登録するよりもグループで登録する方が、より大きなポイントが付与される仕組みとなっている。
【００１２】
そこで佐藤一郎さんは、グループで会員登録した方が得であると考え、友人の高橋さん、田中さん、山本さん、中村さんの５人のグループで会員登録することとした。佐藤さんはまず、自宅にあるＰＣ２を利用してＸ社が運営するホームページにアクセスして会員登録用フォームの要求データを送信し、これを受信したサーバー１は、当該フォームを佐藤さんのＰＣ２に送信した。
佐藤さんは、会員登録に必要な自分の「名前」「住所」等の所定事項及び登録予定人数の「５人」を入力するともに、知人紹介用フォームの送信要求を行なった。これによりＰＣ２は、会員登録データ「パスワード：１５４９／名前：佐藤一郎／住所：東京都港区赤坂○−○−○／年齢：２５／性別：男／電話番号：０３−３５８２−△△△△／クレジットカード番号：1234-5678-4321-XXXX／電子メール：sato@xxx.co.jp／登録予定人数：５人／会員種別：レギュラー」を作成し（図示せず）、また知人紹介用フォームの送信要求データをサーバー１に送信した。サーバー１には、複数の会員レコードからなる会員ファイルが予め記憶されている。サーバー１は、この会員登録データを受信し、これにユーザーＩＤ（Ｕ０１５）及びグループＩＤ（ＳＡ９９）を付与し、登録人数を「０」から「１」に更新して、会員ファイルに記憶する（図３）。本実施例では、このユーザーＩＤが会員特定情報としての役割を果たし、グループＩＤがグループ特定情報としての役割を果たす。
【００１３】
＜ＳＴＥＰ２：知人紹介処理＞
そして次にサーバー１は、知人紹介用フォームを佐藤さんのＰＣ２に送信する。佐藤さんは、友人の高橋さん、田中さん、山本さん、中村さんに登録勧誘の電子メールを送信しようと考え、それぞれの氏名・電子メールアドレス及びメッセージ等を入力し、サーバー１に送信した。サーバー１には、複数の紹介レコードからなる紹介ファイルが記憶されており、この登録勧誘メッセージデータを受信したサーバー１は、紹介ファイルに記憶するとともに（図４）、佐藤さんの会員レコードの「紹介先」に、高橋さん、田中さん及び山本さんの情報を記憶する。さらにサーバー１は、その紹介先（高橋さん、田中さん、山本さん、中村さん）の電子メールアドレスに、佐藤さんからの登録勧誘メッセージを預かっている旨を電子メールで送信する（図５）。なおここでは、被紹介者の電子メールアドレスが、被紹介者特定情報としての役割を果たす。
以下では、被紹介者の一人「高橋さん」が、この佐藤さんから勧誘メッセージを預かっている旨の通知をサーバー１から受信した場合を例に説明する。
【００１４】
＜ＳＴＥＰ３：知人会員登録処理＞
自分の使用するＰＣ２でこの通知（図５）を受信した高橋さんは、ＰＣ２の表示モニタ１１に表示されている指定ＵＲＬを選択（クリック）して、サーバー１に記憶されている勧誘メッセージデータの送信要求を行った。これを受信したサーバー１は、紹介ファイルに記憶されている登録勧誘のメッセージデータを、その送信要求のあった電子メールアドレス（すなわち高橋さんの電子メールアドレス）に送信する。この際サーバー１は、高橋さんの電子メールアドレスから高橋さんを紹介者した佐藤さんを特定し、佐藤さんの会員レコード中の「登録予定人数」及び「登録人数」の項目を参照する。そして予めサーバー１内に記憶されている「現在登録予定人数○人中既に△人の方が登録されています。」のメッセージデータの「○」部分に「５」を、「△」部分に「１」を代入し、「現在登録予定人数５人中既に１人の方が登録されています。」のメッセージデータを完成させ、これも登録勧誘のメッセージデータに含めて送信する。
【００１５】
これをＰＣ２により受信した高橋さんのＰＣ２の表示モニタ１１には、図６のような内容が表示される。高橋さんはこの佐藤さんからのメッセージを読み、自分も会員登録しようと考え、自分の「名前」「住所」等の所定事項をＰＣ２により入力した。これによりＰＣ２は、高橋さんの会員登録データを作成し（図示せず）、サーバー１に送信した。サーバー１は、この会員登録データを受信し、これに高橋さん固有のユーザーＩＤを付与して、会員ファイルに記憶する。この際サーバー１は、高橋さんの電子メールアドレスから紹介ファイル（図４）を参照することにより、そのグループＩＤ（ＳＡ９９：すなわち佐藤さんが勧誘した全てのメンバーには、このグループＩＤが付与されており、これにより佐藤さんのグループのメンバーであることがサーバー１によって把握されている。）を取得し、そのグループＩＤにより、佐藤さんの会員レコードと関連付けて記憶される。またサーバー１は、そのグループＩＤ（ＳＡ９９）から佐藤さんの会員レコードを検索し、その中の登録人数を「２」に更新して記憶し、登録予定人数の「５」と一致するか否かを判断し、一致すれば、グループ全員の登録が完了したものとみなす。またサーバー１は、佐藤さんの会員レコード中の「登録人数」の「２」を参照して、高橋さんの会員レコード中の「登録人数」も「２」に更新し会員ファイルに記憶する。さらにサーバー１は、その高橋さんの電子メールアドレスから紹介ファイル（図４）を検索し、高橋さんの「登録の有無」の項目の「無」を「有」に更新し記憶する。
以上のようにして、佐藤さんから紹介を受けた高橋さん、田中さん、山本さん、中村さんは、そのグループＩＤにより、一つのグループとして関連付けられて会員ファイルに記憶されていく。そしてサーバー１は、各会員レコード中の「登録予定人数」と「登録人数」の数値が一致した時点で、グループ全員の登録が全て完了したと判断し、グループとしての会員登録が終了する。
【００１６】
ここで、佐藤さんから紹介を受けた人の中で、例えば中村さんが会員登録を怠っていた場合の処理について説明する。
例えば、最初の登録者の佐藤さんが中村さんに会員登録の紹介メールを送信した日時をサーバー１が記憶しておき、所定期間経過後、佐藤さんのユーザーＩＤに基づいて紹介ファイル（図４）の「登録の有無」の項目を参照し、これが「無」である中村さんの電子メールアドレスに向けて、会員登録を促すようなメッセージをサーバー１が中村さんのＰＣに送信するようにしてもよい。またサーバー１は、未だ会員登録が完了していない中村さんのＰＣに対してメッセージを送信するのではなく、中村さんの会員レコードの「紹介元」の項目を参照し、中村さんを紹介した人（すなわち佐藤さん）のＰＣに対して、紹介した中村さんが未だ会員登録をしていない旨のメッセージを送信するようにしてもよい。また、例えばそのグループ内の代表者を決めておき（例えばそのグループ内で最初に会員登録した人など）、その代表者に通知するようにしてもよい。このようにして会員登録を促せば、グループとしての会員登録が迅速に行なわれ、また押しの強い会員登録システムとなる。
【００１７】
＜ＳＴＥＰ４：特典付与処理＞
グループとしての会員登録が完了した場合、サーバー１は、このグループ全員にボーナスポイントとして所定の特典ポイントを付与する処理を行う。サーバー１は、会員レコードの「登録人数」の項目の「５人」を参照し、これを基に、新規会員登録時ポイントデータ（図７）を検索する。この新規会員登録時ポイントデータは、新規会員として登録したグループの人数と、各会員に付与するポイントが対応付けられているデータであり、グループの人数が多くなるほど個々の会員に付与されるポイントも多くなるように設定されている。サーバー１は、佐藤さんの「登録人数」の「５人」を検索キーに、本ポイントデータを検索し、付与するポイント「２００Ｐ」を抽出して、各会員に付与する。すなわち、各会員レコードの「獲得ポイント」の項目を「２００Ｐ」に更新する。なおここでは、この新規会員登録時ポイントデータが特典付与情報としての役割を果たす。
なお、グループで会員登録した場合の「特典」は、上述のようにボーナスポイントの付与に限るものではない。例えば、後述する会員のランクを、よりグレードの高いものにする等であってもよい。
【００１８】
また、例えば、当初の予定では「１０人」で登録するはずで、紹介メールを送ったにも拘らず、８人しか登録希望者が集まらなかった場合、以下のように処理する。
サーバー１は、グループ内で最初に登録した人（あるいは最後に登録した人）の登録日時を記憶しておき、所定期間が経過した場合には、その時点で、「登録人数」を参照して、その時点の登録人数を基に、新規会員登録時ポイントデータ（図７）を検索して対応するボーナスポイントを各会員に付与するなどとすればよい。また、ボーナスポイントを付与する前に、「登録予定人数は１０人ですが、現在登録されている方は８人です。この８人で登録しますか？」等のメッセージを予め送信し、その８人で登録することの了承を得てからボーナスポイントを付与するようにしてもよい。
【００１９】
なお本実施例では、最初の人（佐藤さん）の会員登録が完了してから、次の人を紹介しているが、グループ全員の会員登録の申込みがあるまで、個人の会員登録を保留しておいてもよい。つまり、グループ全員が揃うまでは、「仮登録」のような状態に置いておき、グループ全員の申込みを確認して初めて会員登録を認める（「本登録」となる）としてもよい。
【００２０】
次に、グループとしての会員登録完了後のポイント付与処理について説明する。これは簡略して言えば、ポイントの付与を誘因として、いかに会員にサービスを利用してもらうよう仕向けるか、つまり会員登録だけをしておいてサービスを全く利用しない、いわゆる幽霊会員の増加を防ぐための方策である。以下、具体的ケースを基に説明する。
本会員システムでは、会員を複数のグレードに分けて管理し、そのグレードに応じた特典を付与するようにしている。グレードには、最下位の「レギュラー会員」、その上の「シルバー会員」、そして最上級の「ゴールド会員」の三つがあり、上位にいくに従って、付与される特典もより有利なものとなっている。そして新規登録時は全て「レギュラー会員」からスタートし、ポイントの蓄積量に応じてグレードが上がる仕組みになっている。つまり、この会員システムを実施しているＸ社のサービスを多く利用する人にはそれだけ有利な特典が付与される仕組みとなっている。そしてこれは、グループで会員登録した場合も同様で、そのグループ全体として「レギュラー会員」「シルバー会員」「ゴールド会員」のグレード種別がある。
【００２１】
今、佐藤さんの５人のグループは、レギュラー会員からスタートし、各メンバーはそれぞれサービスを利用してポイントを蓄積させている。このような状況の下で、サーバー１は、会員登録時から一定期間後（例えば1年後など）に、グループ全体としてのサービス利用度（ポイントの獲得状況）をチェックする。そしてグループ全体としてのポイントの獲得が基準以上であれば、レギュラー会員からシルバー会員にグレードアップさせる。ポイントの獲得が基準に達していなければ、そのままレギュラー会員のまま据え置く。以下、サーバー１の具体的処理について説明する。
【００２２】
グループとしての会員登録完了後、一定期間経過した後、サーバー１は、グループＩＤに基づいて会員ファイルを検索して、そのグループに属する各会員の会員レコード中の「獲得ポイント」及び「登録人数」を参照して、一人当たりの平均獲得ポイント数を算出する処理を行う。例えば佐藤さんのグループ（グループＩＤ：ＳＡ９９）の各会員レコードを検索した結果、獲得ポイントがそれぞれ、佐藤さん・・・３０００Ｐ、高橋さん・・・１０００Ｐ、田中さん・・・６００Ｐ、山本さん・・・５００Ｐ、中村さん・・・４００Ｐだったとする。この時、一人当たりの平均獲得ポイントは１１００Ｐ（５５００Ｐ÷５人）と算出されるので、サーバー１は、この「１１００Ｐ」及び「グループ種別」の「レギュラー」に基づいて、グレードアップデータ（図８）を参照する。このグレードアップデータは、レギュラー会員からシルバー会員にグレードアップするために必要な一人当たりの平均獲得ポイント及び、シルバー会員からゴールド会員にグレードアップするために必要な一人当たりの平均獲得ポイントが、それぞれ対応付けられて記憶されているデータである。サーバー１は、このグレードアップデータ（図８）を参照し、佐藤さんのグループの一人当たりの平均獲得ポイント（１１００Ｐ）が、レギュラー会員からシルバー会員にグレードアップするために必要な「１０００Ｐ」を超えていると判断し、佐藤さんのグループ（グループＩＤ：ＳＡ９９）の各会員レコードの「会員種別」の項目を「レギュラー」から「シルバー」に更新して記憶する。なお、獲得ポイント数が足りずにグレードアップには至らない場合でも、サーバー１は、「あと○○ポイント獲得すれば、レギュラー会員からシルバー会員にグレードアップできます。」と通知して、会員のサービスの利用を促してもよい。また、グレードアップがなされた場合には、サーバー１は、そのグレードアップがなされたという事実を、各会員の電子メールアドレスに向けて送信するようにするのが望ましい。
【００２３】
以上は、獲得ポイントが基準以上であればグループ全体のグレードをアップさせるものであるが、逆に基準に達していなければ、グループ全体のグレードをダウンさせるようにしてもよい。例えば、この佐藤さんのグループが「シルバー会員」にグレードアップしてから一定期間後、前述と同様にしてサーバー１は佐藤さんのグループの一人当たりの平均獲得ポイントを算出し、例えば図９にあるようなグレードダウンデータを参照し、その「シルバー会員」を維持するために必要なポイント数を獲得しているかどうかをチェックする。今かりに、佐藤さんのグループの各会員レコードを検索した結果、獲得ポイントがそれぞれ、佐藤さん・・・３０００Ｐ、高橋さん・・・２４０Ｐ、田中さん・・・２００Ｐ、山本さん・・・２６０Ｐ、中村さん・・・２００Ｐだったとする。この時、一人当たりの平均獲得ポイントは７８０Ｐと算出されるので、サーバー１は、図９のグレードダウンデータを参照し、シルバー会員からレギュラー会員にグレードダウンさせる「８００Ｐ未満」であると判断し、佐藤さんのグループを「シルバー会員」から「レギュラー会員」にグレードダウンさせる。すなわち、佐藤さんのグループ（グループＩＤ：ＳＡ９９）の各会員レコードの「会員種別」の項目を「シルバー」から「レギュラー」に更新して記憶する。なおサーバー１は、グレードダウンさせる場合には、「あと○○ポイント獲得しないとグレードダウンされます。」と事前に電子メールで通知するようにしてもよい。
本実施例では、グレードアップデータ及びグレードダウンデータにおける「獲得ポイント」が、所定平均利用度としての役割を果たす。
【００２４】
なお上記実施例では、会員のグレードをアップ又はダウンさせる際、そのグループを構成する会員一人当たりの平均獲得ポイントを算出し、これに基づいてグレードアップデータ又はグレードダウンデータを参照しているが、この方法に限るものではない。例えばグレードアップの場合であれば、先の例のように、佐藤さんのグループの獲得ポイントがそれぞれ、佐藤さん・・・３０００Ｐ、高橋さん・・・１０００Ｐ、田中さん・・・６００Ｐ、山本さん・・・５００Ｐ、中村さん・・・４００Ｐだった場合、グループ全体の合計獲得ポイントは５５００Ｐと算出されるので、この「５５００Ｐ」と、登録人数の「５人」、及び現在のグループ種別「レギュラー」に基づいて、例えば図１０のようなグレードアップデータを参照し、佐藤さんのグループは、５人のグループがレギュラーからシルバーにグレードアップするのに必要な５０００Ｐ以上を獲得している、と判断するようにしてもよい。すなわち、一人当たりの平均獲得ポイントは算出しなくともよい。これは、会員種別をグレードダウンさせる場合も同様である。
この場合には、図１０の「グループ全体の獲得ポイント」が所定グループ利用度としての役割を果たす。
【００２５】
このようにすれば、サービスの利用を強く促すことができるので、会員登録だけをしておいてサービスをあまり利用しない会員の増加を防ぐことができる。
ただし、このようなグレードダウンを実施した場合、先の例でいえば、サービスを多く利用して、一人だけポイントを多く獲得していた佐藤さんには酷な結果となる。そこで例えば、グループ内で規定ポイントに達した会員数に応じてボーナスポイントを付与するようにし、それをグループに還元するようにしてもよい。例えばサーバー１内には、図１１にあるようなボーナスポイントデータが記憶されている。これは、所定の規定ポイント（例えば３０００Ｐ）に達した人数と、グループに付与されるボーナスポイントが対応付けられて記憶されているものである。
【００２６】
今、先の例のように、サーバー１が各会員の会員レコードの「獲得ポイント」を参照した結果、佐藤さん・・・３０００Ｐ、高橋さん・・・２４０Ｐ、田中さん・・・２００Ｐ、山本さん・・・２６０Ｐ、中村さん・・・２００Ｐであったとする。この時サーバー１は、各会員の獲得ポイントを集計の際（あるいは集計後であってもよい）、３０００Ｐという規定ポイントに達している会員の人数をカウントし記憶する。ここでは、佐藤さん一人のみであるので、サーバー１は、「１人」を記憶し、これを基に図１１のボーナスポイントデータを参照し、「１人」に対応するボーナスポイント「１０００Ｐ」を抽出して記憶し、これをグループ内獲得ポイントに合算する。つまり、佐藤さん・・・３０００Ｐ、高橋さん・・・２４０Ｐ、田中さん・・・２００Ｐ、山本さん・・・２６０Ｐ、中村さん・・・２００Ｐに、ボーナスポイントの１０００Ｐを合わせて、佐藤さんのグループ内獲得ポイントは４９００Ｐと算出する。そしてその上で、サーバー１は一人当たりの平均獲得ポイントの「９８０Ｐ」を算出し、この「９８０Ｐ」に基づいて図９のグレードダウンデータを参照すれば、シルバー会員からレギュラー会員にグレードダウンさせられる「８００Ｐ未満」ではないから、佐藤さんのグループは、「シルバー会員」を維持できることになる。このようにすれば、一人で熱心にサービスを利用した佐藤さんに報いることができ、また、規定ポイントに達すればボーナスポイントが付与されるとなれば、会員のサービス利用量もより一層増加することが見込まれる。
本実施例では、「３０００Ｐ」という所定の規定ポイントが、所定会員利用度としての役割を果たす。
【００２７】
このようにして佐藤さんのグループは、しばらくの間、「シルバー会員」を維持していたとする。しかし、その佐藤さんのグループのメンバーの一人である中村さんは、会員登録後、長期にわたってほとんどサービスを利用していなかったとする。つまり、中村さん以外の他の４人のサービス利用度（ポイント蓄積量）によってシルバー会員のグレードを維持しており、中村さんはこの佐藤さんのグループに、会員登録後は全く貢献していない状態であったとする。このような場合には、サービス利用量の極端に少ない中村さんを、佐藤さんのグループのメンバーから外すようにしてもよい。そして外された中村さんは、それまでのシルバー会員からレギュラー会員へとグレードダウンさせられる。また、中村さんが外れたことで、グループのメンバーが一人減るので（すなわち５人のグループが４人となるので）、その分グループとして享受していた特典が減らされることになる。以下、サーバー１の具体的処理について述べる。
【００２８】
サーバー１は、会員のポイントの獲得及び使用状況（いつどれだけのポイントを獲得したか、またそのポイントをいつどれだけ使用したか等）を、その都度記憶しておく。そして中村さんのポイントの増減に変化がないか、またはポイントの獲得が所定以下である場合には、サーバー１は、中村さんがサービスをほとんど利用していないものとみなし、中村さんに付されていたグループＩＤを抹消し、佐藤さん他５人のグループから外す。すなわちグループで会員登録していた状態から個人で会員登録した通常の状態になり、中村さんは以後、グループで会員登録している場合に受けられる様々な特典が受けられなくなる。またサーバー１は、中村さんの会員レコードの「会員種別」の項目を、「シルバー」から「レギュラー」に変更する（中村さんの会員グレードをグレードダウンさせる）。この場合、サーバー１は、事前にその旨を中村さんの電子メールアドレスに送信しておくことが望ましい。なお、今後の中村さんのサービス利用状況によっては、グループへの復帰を認めるようにしてもよい。また、中村さん自身から自主的に脱退することを認めてもよい。すなわち、会員自らがグループのメンバーから脱退することを希望する場合には、それを認めても構わない。
【００２９】
このように、サービスの利用をしていない会員をグループのメンバーから外すと、グループとして会員登録していた場合の特典が減少することも考えられる。本実施例でいえば、中村さんの脱退により、佐藤さんのグループは５人から４人に減ったので、例えばグループが５人から構成される場合と、４人から構成される場合の特典に差を設けていた場合には、グループとしても中村さんの脱退は痛手となる。そこで、サーバー１は、グループの他のメンバーの電子メールアドレスに、中村さんのグループからの脱退の事実と、中村さんが抜けた分、特典も減少するが、あと一人新しい会員を勧誘してグループに加えれば、今まで通りの特典が受けられる旨を送信する。このようにすれば、会員登録だけをしておいてその後サービスを全く利用しない、いわゆる幽霊会員の増加を防止することができ、また新たに新規会員の獲得も期待できる。
【００３０】
しかしながらこのように、グループ内の一人のメンバーがサービスをほとんど利用していないために、突然そのグループのメンバーから外されるとなると、他のメンバーからすれば、まさに寝耳に水である。よって、グループ内の他のメンバーのサービス利用状況（ポイント獲得状況）をお互いチェックできるようなシステムが望ましいことになる。
具体的には、サーバー１が、佐藤さんのグループＩＤ（ＳＡ９９）に基づき佐藤さんのグループに属する会員の会員レコード中の「獲得ポイント」の項目を参照し、各会員の獲得ポイントを記憶する。例えば、佐藤さん・・・３０００Ｐ、高橋さん・・・２０００Ｐ、田中さん・・・１５００Ｐ、山本さん・・・２５００Ｐ、中村さん・・・２００Ｐ等である。そしてサーバー１は、各会員の電子メールアドレスに定期的に（例えば毎月など）、上記のような他のメンバーのポイント獲得状況データを送信する。この時例えば、各メンバーの先月のポイント獲得状況及び今月のポイント獲得状況などとして、ポイント獲得の推移を定期的に比較できるようにして通知するのが望ましい（図１２）。このようにすれば、月ごとのポイントの増減が全くない（すなわちサービスを全く利用していない）中村さんの存在を、他のメンバーが予め把握できるので、各メンバーから中村さんに対してサービスの利用を促すなどのチェック機能が働くことが期待できる。また、グループ内でお互いに監視機能が働くので、サービスの利用が促進されることも見込まれる。なお図１２では、名前を公表して他のメンバーに通知しているが、名前は公表しなくてもよい。
【実施例２】
【００３１】
本発明の実施例２について説明する。実施例１は、お互い知り合いの友人同士で、しかも５人という最初から決まった人数で会員登録する場合である。しかしこの実施例２は、一人が会員登録した後、その友人に勧誘メールを送り、その勧誘メールを受信した友人がさらに別の友人に勧誘メールを送り、というように、累積的に勧誘メールを送信して会員登録をしていく例である。従って、少なくとも紹介者と被紹介者は知り合い同士であるが、それ以外のメンバーとは全く面識がなくてもよく、しかしそのような状態であっても一つのグループとして会員登録を認める、というものである。また、会員登録をする人数は最初から決まっていなくともよく、例えば１０人での会員登録を目標に順次勧誘していく、というようなものであってもよい。なお処理内容は、ほぼ実施例１と同様なので、実施例１と異なる部分だけを説明する。
【００３２】
グループとして会員登録をした方が何かと得であると考えた伊藤さんは、何人集められるかわからないが、とりあえず会員登録をしようと思い、ＰＣ２を利用して、会員登録用フォームに自分の「名前」「住所」等の所定事項を入力するとともに、知人紹介用フォームの送信要求をサーバー１に送信した。なお本実施例では、会員登録用入力フォームに、「登録予定人数」の項目はないか又は「未」を選択できるよう設定されているものとする。サーバー１は、この会員登録データを受信し、これにユーザーＩＤ（Ｕ０６９）及びグループＩＤ（Ｉ８８）を付与し、グループ人数の「０」を「１」に更新し、また登録人数の「０」も「１」に更新して、会員ファイルに記憶する（図示せず）。またサーバー１は、この一人目の会員登録が完了した時点の日時を記憶しておき、これを起算日として所定（例えば３０日など）の会員登録締切日を算出し記憶する。
【００３３】
そして次にサーバー１は、知人紹介用フォームを伊藤さんのＰＣ２に送信する。伊藤さんは、友人の斉藤さん、小林さんが会員登録するかどうかは分からないが、とりあえず会員登録の勧誘メールを送ってみようと考え、それぞれの氏名・電子メールアドレス及びメッセージ等を入力し、サーバー１に送信した。この勧誘データを受信したサーバー１は、紹介ファイル（図示せず）に記憶するとともに、伊藤さんの会員レコードの「紹介先」に、斉藤さん及び小林さんの情報を記憶する。またサーバー１は、そのグループＩＤ（Ｉ８８）に基づき会員ファイルを検索し、会員レコード中の「グループ人数」を（伊藤さんが紹介した斉藤さんと小林さんの２人をカウントして）「３」に更新する。そしてサーバー１は、紹介先（斉藤さん、小林さん）の電子メールアドレスに、伊藤さんからの勧誘メールを預かっている旨のメッセージを電子メールで送信する。
以下では、被紹介者の一人「斉藤さん」が、この伊藤さんからの勧誘メールを預かっている旨のメッセージをサーバー１から受信した場合を例に説明する。
【００３４】
このメッセージを自分が使用するＰＣ２で受信した斉藤さんは、ＰＣ２の表示モニタ１１に表示されている指定ＵＲＬをクリックして、サーバー１に記憶されている勧誘メッセージデータの送信要求を行った。これを受信したサーバー１は、紹介ファイルに記憶されている登録勧誘のメッセージデータを、斉藤さんの電子メールアドレスに送信する（図１３）。この際サーバー１は、伊藤さんの会員レコード中の「グループ人数」及び「登録人数」の項目を参照し、「現在のグループの人数は３人で、既に１人の方が登録されています」等のメッセージも合わせて送信する。また図７にあるような、グループの人数と、その人数に対応する付与ポイントに関する特典付与情報（グループの人数が多くなるほど個々の会員に付与されるポイントも多くなる）も合わせて通知する。こうすれば、自分が会員登録することによって、付与されるボーナスポイントもより大きくなることが分かるので、紹介メールを受信した人の登録意欲を喚起させる。また、予め記憶しておいた会員登録締切日も合わせて通知する（図１３）。
【００３５】
これをＰＣ２により受信した斉藤さんは、伊藤さんの誘いに乗り、自分も会員登録しようと考え、自分の「名前」「住所」等の所定事項をＰＣ２により入力するとともに、知人紹介用フォームの送信要求をサーバー１に送信した。これらを受信したサーバー１は、斉藤さんの会員登録データにユーザーＩＤ（Ｕ０３３）を付与して、会員ファイルに記憶する（図示せず）。この際サーバー１は、斉藤さんの電子メールアドレスから紹介ファイルを参照することにより、そのグループＩＤ（Ｉ８８）を取得し、そのグループＩＤにより、伊藤さんの会員レコードと関連付けて記憶される。またサーバー１は、そのグループＩＤ（Ｉ８８）から伊藤さんの会員レコードを検索し、その中の登録人数を「２」に更新して記憶する。そしてサーバー１は、伊藤さんの登録人数の「２」を参照して、斉藤さんの会員レコード中の登録人数も「２」に更新し会員ファイルに記憶する。
【００３６】
さらにサーバー１は、知人紹介用フォームの送信要求に従って、当該フォームを斉藤さんのＰＣ２に送信する。斉藤さんは、友人の加藤さん、吉田さん、山田さんが会員登録するかどうかは分からないが、とりあえず会員登録の勧誘メッセージを送ってみようと考え、加藤さん、吉田さん、山田さんのそれぞれの氏名・電子メールアドレス及びメッセージ等を入力し、サーバー１に送信した。
この紹介データを受信したサーバー１は、紹介ファイル（図示せず）に記憶するとともに、グループＩＤ（Ｉ８８）に基づき会員ファイルを検索し、このグループＩＤ：Ｉ８８が付された全会員レコード中の「グループ人数」を（斉藤さんが紹介した加藤さん、吉田さん、山田さんの３人をカウントして）「６」に更新する。そしてサーバー１は、紹介先（加藤さん、吉田さん、山田さん）の電子メールアドレスに、斉藤さんからの勧誘メールを預かっている旨のメッセージを電子メールで送信する。この際サーバー１は、会員レコード中の「グループ人数」及び「登録人数」の項目を参照し、「現在のグループの人数は６人で、既に２人の方が登録されています」等のメッセージも合わせて送信する。また、予め記憶しておいた会員登録締切日も合わせて通知する。
【００３７】
この際、最初の会員登録者の伊藤さん（すなわち斉藤さんの紹介者）と、今度斉藤さんが紹介する加藤さん、吉田さん、山田さんとは全く面識のない他人同士であってよい。しかし、この紹介を受けた加藤さんや吉田さんや山田さんが会員登録すれば、知らない者同士であっても伊藤さんを含めた一つのグループ（グループＩＤ：Ｉ８８）として会員登録される点に特徴がある。
【００３８】
このようにして累積的に友人を紹介してグループの人数を増やして会員登録をしていき、所定の会員登録締切日まで、この＜会員登録＞→＜知人を紹介＞→＜その知人が会員登録＞→＜さらに知人を紹介＞という手続を繰り返す。そして会員登録締切日に達したら、サーバー１は実施例１と同様にして、新規会員登録時ポイントデータ（図７）に基づいて、登録人数に対応するポイントを各メンバーに付与する。このようにすれば、企業側にとっても効率よく新規会員を獲得でき、また新規に会員となる者にとっても、例えば図７のように、会員登録する人数が多ければ多いほど、特典も有利となる仕組みになっていれば、両者にとってメリットとなる。
【００３９】
ここで本実施例２のように、何人で登録するか決まっていない場合には、グループの人数を確定させるために、上述のような所定期間の会員登録締切日を設定することが望ましいが、これに関して、以下のようにしてもよい。
例えば図１４のように、締切期間とグループに付与するポイントが対応づけられた締切ポイント付与データを用い、例えば同じ１０人のグループで登録する場合であっても、その１０人を５日で集めたグループには１０００Ｐを付与し、同じ１０人でも６０日かかったグループには５０Ｐを付与するなどとして、短期間に効率よく会員登録させるようにしてもよい。この場合には、最初に会員登録をする人が締切期間を選択できるようにし、その締切期間をサーバー１が記憶しておき、グループとしての会員登録後にポイントを付与する際（図７）、図１４も参照して対応するポイントをさらに付与するようにする。なお最初に選択した締切期間は、会員が途中で変更（締切期間を延長）することができるようにしておくことが望ましい。これは、もう少し時間をかければ、より多くの人数で会員登録をすることが可能、という場合もあるからである。
【００４０】
このように、所定期間の会員登録締切日は設定することが望ましいが、必ず設定しなければならないものではない。例えば、そのグループにボーナスポイント（新規会員登録時に付与されるポイント：図７）を付与する前に、「現在のグループの登録人数は○人ですが、この人数で確定してよろしいですか？」等のメッセージを予め送信し、もうそれ以上グループの人数を増やして登録する意思がないことを確認するようにすれば、そのグループの人数を確定させることができる。
【００４１】
以上が、グループとして会員登録するまでの処理であるが、会員登録後は、実施例１とほぼ同様である。ただし、この実施例２の特徴である、「お互い面識のない者同士が同じグループとして登録している」点から、以下の点で実施例１と異なる。
まず、グループとしての会員登録後、サービスの利用をしていない会員（実施例１でいえば、中村さん）をグループから外す場合、グループの他のメンバーにその脱退の事実を通知するが、実施例１では全員が知り合い同士であるので、例えば「中村さんがメンバーから外れます。」等のメッセージでもよいが、実施例２の場合、名前は伏せて（例えば登録番号などを用いて）他のメンバーに通知することが望ましい。
【００４２】
また各会員に定期的に通知される、他のメンバーのサービス利用状況（ポイント獲得状況：図１２）に関しても、全く面識のない者にサービス利用状況を通知することは望ましくない。よってこの場合にも、他のメンバーの氏名や電子メールアドレスなど、その個人を特定できる情報は伏せて通知するようにする。なお、自分を紹介した会員（紹介元）と、自分が紹介した会員（紹介先）は、少なくとも自分にとって知り合いであるから、それらの会員のポイント獲得状況に関しては、個人を特定できるような方法で通知するようにしてもよい。本実施例で言えば、斉藤さんにとっては、自分を紹介してくれた伊藤さん及び、自分が紹介した加藤さん、吉田さん、山本さんについては知り合いであるから、これらのポイント獲得状況については、名前を公表して斉藤さんに通知するようにしてもよい（図１５）。この場合には、サーバー１は、会員ファイル（図３）に登録する際、その紹介元（伊藤さん）と紹介先（加藤さん、吉田さん、山本さん）も合わせて記憶するようにしているので、これら紹介元と紹介先の項目をも参照するようにする。
【００４３】
具体的には、まずサーバー１は、グループＩＤ（Ｉ８８）に基づき伊藤さんのグループに属する会員の会員レコード中の「獲得ポイント」の項目を参照し、各会員の獲得ポイントを記憶する。そしてサーバー１は、斉藤さんに送信するための他のメンバーのポイント獲得状況データを作成する際、他のメンバーは原則的に登録番号（サーバー１は、登録順に番号を付して登録しているとする。）を用いるが、この際、斉藤さんの会員レコードの「紹介元」及び「紹介先」の項目を参照し、そこに記憶されている相手（紹介元の伊藤さん及び紹介先の加藤さん、吉田さん、山本さん）に関しては氏名を公表した形でボイント獲得状況データを作成するようにし、これをサーバー１は斉藤さんの電子メールアドレスに送信する。
【００４４】
上記実施例においては特定のケースについて説明したが、本発明はこれら特定のケースに限るものではない。
（１）データの内容は実施例で説明したデータに限らない。即ち、同様の役割を果たすことができれば、他のどのようなデータであっても構わない。
（２）ハードウェアも実施例で説明したものに限らない。即ち、同様の役割を果たすことができれば、他のどのようなハードウェアであっても構わない。
（３）処理の内容や手順についても実施例で説明したものに限らない。即ち、同様の役割を果たすことができれば、他のどのような処理内容・処理手順であっても構わない。
（４）上記実施例に登場するデータ（データレコード、ファイル）のデータ（データ項目）は、原則として各々関連づけられて（対応づけられて）記憶装置に記憶されているものとする。図面に表されたものについても同様である。
（５）本発明において、会員登録システムを実施している企業が提供する「サービスを利用する」には、会員登録システムを実施している企業が販売する商品を購入すること、すなわち「商品の販売というサービスを利用する」ことが含まれる。
【図面の簡単な説明】
【００４５】
【図１】本発明を実現するための装置の概略を表した図である。
【図２】本発明の処理フローを表した図である。
【図３】会員ファイルを表した図である。
【図４】紹介ファイルを表した図である。
【図５】勧誘メッセージお預かり通知画面を表した図である。
【図６】勧誘メッセージ通知画面を表した図である。
【図７】新規会員登録時ポイントデータを表した図である。
【図８】グレードアップデータを表した図である。
【図９】グレードダウンデータを表した図である。
【図１０】グレードアップデータを表した他の図である。
【図１１】ボーナスポイントデータを表した図である。
【図１２】ポイント獲得状況通知画面を表した図である。
【図１３】勧誘メッセージ通知画面を表した図である。
【図１４】締切ポイント付与データを表した図である。
【図１５】ポイント獲得状況通知画面を表した図である。
【符号の説明】
【００４６】
１  サーバー
２  ＰＣ（パーソナルコンピュータ）
３  インターネット
１１  表示モニタ
１２  キーボード
１３  マウス
【図１】
2006004335.tif 000003
【図２】
2006004335.tif 000004
【図３】
2006004335.tif 000005
【図４】
2006004335.tif 000006
【図５】
2006004335.tif 000007
【図６】
2006004335.tif 000008
【図７】
2006004335.tif 000009
【図８】
2006004335.tif 000010
【図９】
2006004335.tif 000011
【図１０】
2006004335.tif 000012
【図１１】
2006004335.tif 000013
【図１２】
2006004335.tif 000014
【図１３】
2006004335.tif 000015
【図１４】
2006004335.tif 000016
【図１５】
2006004335.tif 000017